(57)【要約】【課題】【発明が解決するための手段】複数の筆記具を保持することができ、手帳をカバン等に入れて携行する場合においても、カバンの中の他の荷物を筆記具のペン先で傷付けてしまうこと及びカバンの中の他の荷物で筆記具が損傷することを防ぎ、複数の筆記具を保持させたペン保持部を容易にコンパクトな状態にできるペンホルダー付の手帳カバーを提供する。【解決手段】カバー本体部２の側縁部から突出するペンホルダー部６に複数の筆記具が保持できるペン保持部７を形成し、ペンホルダー部６の両端部に外方貫通孔１０、内方貫通孔１１を形成し、両貫通孔の中間部６ｂに紐部材１３を止着し、紐部材１３を外方貫通孔１０、内方貫通孔１１の順で挿通させる。【選択図】図３
2014046578.tif 000002
【特許請求の範囲】
【請求項１】
手帳本体を被覆し筆記具を保持するペンホルダーを有した手帳カバーであって、前記手帳カバーが前記手帳本体を被覆するカバー本体部と該カバー本体部の側縁部から突出するペンホルダー部と紐部材とを有し、前記ペンホルダー部の裏面側に、該ペンホルダー部に複数の筆記具を保持できるペン保持部を設け、前記ペンホルダー部の横方向における両端部に外方貫通孔及び内方貫通孔を設け、他端部側を前記内方貫通孔の表面部から突出させた前記紐部材の一端部側を前記外方貫通孔の裏面側から表面側へ向かって突出させ、当該紐部材の一端部を前記ペンホルダー部における外方貫通孔と内方貫通孔の中間部に止着し、前記内方貫通孔の表面部から突出した前記紐部材の他端部側を引くことにより、前記ペンホルダー部が前記紐部材で巻かれて折り畳まれる構造のペンホルダー付の手帳カバー。
【請求項２】
前記ペンホルダー部の縦方向に沿って複数の筆記具を各々単体で横方向に並べて保持できるように、前記ペン保持部を複数のペン挿し部で構成した請求項１に記載のペンホルダー付の手帳カバー。
【請求項３】
前記ペン保持部の縦方向における上方に、前記ペン挿し部から露出した筆記具を被覆するフラップを設けた請求項２に記載のペンホルダー付の手帳カバー。
【請求項４】
前記手帳カバー表紙部に前記紐部材を係止する係止部を設けた請求項１ないし請求項３のいずれか１項に記載のペンホルダー付の手帳カバー。である。
【発明の詳細な説明】
【技術分野】
【０００１】
本発明は、手帳カバーに関し、さらに詳細には、筆記具を保持することができるペンホルダー付の手帳カバーに関する。
【背景技術】
【０００２】
従来から、手帳カバーの多くでは、筆記具を保持できるペンホルダーを設けて、手帳としての利便性を向上させたものが広く普及している。従来の手帳カバーに付属しているペンホルダー構造の多くは、特開２０００−３３５１７９号公報にあるように、外カバーの側端部側に設けた輪状のベルトに筆記具を挿着させる構造であり、１本の筆記具だけを保持するようになっている。
また、複数本の筆記具を保持できる構造としては、特開平１０−２９３９６号公報に、持着シートで筆記具を複数本包み込んだ上で持着シートの両端を圧着し、手帳に対して持着シートを圧着する構造が開示されている。
【０００３】
しかしながら、特開２０００−３３５１７９号公報のように、輪状のベルトに筆記具を挿着させる構造では、ペンホルダーに複数本の筆記具を保持させることは考えられておらず、さらにカバン等に入れて携行する際に、ベルトに挿着した状態で大部分が露出される筆記具のために、筆記具のペン先でカバンの中の他の荷物を傷付けてしまう場合や、逆にカバンの中の他の荷物で筆記具を損傷してしまう虞があった。
また、特開平１０−２９３９６号公報に記載されている構造では、筆記具の形状や寸法あるいは本数に合わせて持着シートを剥がしたり再圧着する必要があり、手間が掛かっていた。
【先行技術文献】
【特許文献】
【０００４】
【特許文献１】特開２０００−３３５１７９号公報
【特許文献２】特開平１０−２９３９６号公報
【発明の概要】
【発明が解決しようとする課題】
【０００５】
本発明はこうした問題を鑑みて、複数の筆記具を保持することができ、手帳をカバン等に入れて携行する場合においても、カバンの中の他の荷物を筆記具のペン先で傷付けてしまうこと及びカバンの中の他の荷物で筆記具が損傷することを防ぎ、複数の筆記具を保持させたペン保持部を容易にコンパクトな状態にできるペンホルダー付の手帳カバーを提供することを目的とする。
【課題を解決するための手段】
【０００６】
本発明は、
「１．手帳本体を被覆し筆記具を保持するペンホルダーを有した手帳カバーであって、前記手帳カバーが前記手帳本体を被覆するカバー本体部と該カバー本体部の側縁部から突出するペンホルダー部と紐部材とを有し、前記ペンホルダー部の裏面側に、該ペンホルダー部に複数の筆記具を保持できるペン保持部を設け、前記ペンホルダー部の横方向における両端部に外方貫通孔及び内方貫通孔を設け、他端部側を前記内方貫通孔の表面部から突出させた前記紐部材の一端部側を前記外方貫通孔の裏面側から表面側へ向かって突出させ、当該紐部材の一端部を前記ペンホルダー部における外方貫通孔と内方貫通孔の中間部に止着し、前記内方貫通孔の表面部から突出した前記紐部材の他端部側を引くことにより、前記ペンホルダー部が前記紐部材で巻かれて折り畳まれる構造のペンホルダー付の手帳カバー。
２．前記ペンホルダー部の縦方向に沿って複数の筆記具を各々単体で横方向に並べて保持できるように、前記ペン保持部を複数のペン挿し部で構成した１項に記載のペンホルダー付の手帳カバー。
３．前記ペン保持部の縦方向における上方に、前記ペン挿し部から露出した筆記具を被覆するフラップを設けた２項に記載のペンホルダー付の手帳カバー。
４．前記手帳カバー表紙部に前記紐部材を係止する係止部を設けた１項ないし３項のいずれか１項に記載のペンホルダー付の手帳カバー。」である。
【０００７】
本発明におけるペンホルダー部は、手帳カバー本体部の側縁部から突出させた状態に形成し、手帳カバー本体部の表表紙側及び裏表紙側のいずれか一方側だけあるいは両側から突出させてもよい。また、ペンホルダー部に設けるペン保持部の形状は、筆記具の一部または全部が納まる袋状に形成したり、筆記具の一部を保持できる輪状に形成してもよい。尚、ペンホルダー部は、紐部材を引くことで折り畳み可能な構造とする必要があり、具体的にはペンホルダー部全体を柔軟な材料で形成したり、すだれのように硬質な部材を間接部で折り畳めるようにした構造にしてもよい。
【０００８】
ペン保持部を複数のペン挿し部で構成する場合には、筆記具を同時に複数横に並べて保持できる巾広な袋状のペン保持部を設けると共にそのペン保持部を筆記具単体に必要な巾に区画して複数のペン挿し部を形成したり、あるいは筆記具を単体で保持できる袋状あるいは輪状のペン挿し部を複数並べて形成してもよい。
【０００９】
ペンホルダー部に設けるフラップは、ペン保持部の上方へ露出した筆記具を覆い隠すことができる形状と大きさであればよく、ペンホルダー部の折り畳みに伴ってフラップが折り畳まれる柔軟な材料で形成すればよい。
【００１０】
紐部材を係止する係止部は、中心軸に紐部材を巻回させて固定することができるボタン状にしたり、紐部材を引っかけるフック状にして、ペン保持部に挿着する筆記具の数や形状でペンホルダー部を巻く紐部材の長さが変化しても、係止部でペンホルダー部の巻き具合を調整できる形状にする必要がある。尚、係止部はカバー本体部の表面側のどこに設けてもよいが、紐部材を係止させた際に安定した状態で手帳カバーが閉じ易いように、カバー本体部における縦方向の中間部に設けることが好ましい。
【発明の効果】
【００１１】
本発明のペンホルダー付の手帳カバーは、ペンホルダー部に複数の筆記具を保持できるペン保持部をカバー本体部の側縁部から突出させた状態で設けることで、複数の筆記具を同時に保持させることができ、ペンホルダー部の内方貫通孔の表面部から突出した紐部材を引くことで、ペンホルダー部を容易にコンパクトな状態に折り畳むことができると共に、折り畳まれたペンホルダー部により筆記具を挟持して保持することができるものとなった。また、ペン保持部が折り畳まれた際にはペンホルダー部の内側に筆記具が配置するので、ペンホルダー部で筆記具が保護されることになり、手帳をカバン等に入れ携行する際に、筆記具のペン先でカバンの中の他の荷物に傷を付けたり、逆に他の荷物で筆記具が損傷してしまうことを防止できる。
また、ペン保持部をペンホルダー部の縦方向に沿って複数の筆記具を各々単体で横方向に並べて保持できるように、ペン保持部を複数のペン挿し部で構成することにより、複数の筆記具を並列に挿着することができ、ペン保持部内で複数の筆記具が片寄って配置されることを防止して、ペンホルダー部を折り畳み易くすることができる。
また、ペン保持部の上方にフラップを設けることにより、紐部材の引きが弱くてペンホルダー部が筆記具をしっかりと挟持できていない場合であっても、ペン挿し部の上方から筆記具が脱落してしまうことを防止することができる。
また、ペンホルダー部を折り畳んだ紐部材を手帳カバーに巻回させた上で、カバー本体部表紙に設けたボタン状の部材に巻回して係止させたり、巻回させた紐同士を絡めるように係止することにより、手帳カバーを閉じた状態に維持することができ、携行する際に便利なものとなる。
【図面の簡単な説明】
【００１２】
【図１】図１は、本実施例の手帳カバーにおいて、カバー本体部を開き、裏面側から見た状態の斜視図である。
【図２】図２は、手帳カバーを手帳本体に被覆した状態を示した斜視図である。
【図３】図３は、手帳本体及びカバー本体部を閉じた状態を示した斜視図である。
【図４】図４は、ペン挿し部に筆記具を挿着させる状態を示した斜視図である。
【図５】図５は、カバー本体部の内方貫通孔から突出した紐部材を引いてペンホルダー部が折り畳まれていく状態を段階的に示した概念図である。
【図６】図６は、ペンホルダー部が折り畳まれた手帳カバーの状態を示した斜視図である。
【図７】図７は、ペンホルダー部を折り畳んだ上で、紐部材を手帳カバー全体に巻回させて、紐部材をボタン状の係止具や紐部材同士で係止させた状態を示した平面図である。
【発明を実施するための形態】
【００１３】
次に図面を参照しながら実施例の説明を行う。図中の同じ部材、同じ部品については、同じ符号としてある。本発明は以下の実施例に限定されるものではない。尚、手帳カバーの説明において、ペン挿し部に対してフラップがある側を上方と表現し、その反対側を下方と表現する。また手帳本体を装着する側を裏側と表現しその反対を表側と表現する。また手帳カバーを開いた状態で裏側から見た時の左側を一方と表現し右側を他方と表現する。
【００１４】
図１を用いて本実施例の手帳カバー１ついて説明を行う。図１は手帳カバー１を開いた状態で見た斜視図である。図に示すように手帳カバー１は、折り曲げ部２ｃを介して連続して成る一方の外カバー２ａ及び他方の外カバー２ｂで構成されるカバー本体部２に対して、一方の外カバー２ａの裏面側に内カバー３を、他方の外カバー２ｂの裏面側に内カバー４を配してある。尚、内カバー３及び内カバー４は、それぞれカバー本体部２の外周に沿って縫着部５で縫着して一体としてある。本実施例では、内カバー３と一方の外カバー２ａとの間にはポケット３０が形成され、内カバー４と他方の外カバー２ｂとの間にはポケット４０が形成され、互いの開口部３０ａ，４０ａを対向するよう形成してある。また、内カバー３には一方側から突出するペンホルダー部６を設けてあり、ペンホルダー部６のベース材６ａは内カバー３と同部材で構成されており、内カバー３を一方の外カバー２ａに縫着する際に同時にカバー本体部２と一体と成る。
また、ペンホルダー部６の裏面側にはペン保持部７が設けてあり、ペン保持部７はベース材６ａの横方向における両側辺部及び縦方向における下辺部をコの字状の縫着部７ａで縫着してある。さらにペン保持部７には、複数の筆記具が各々単体で挿着できるよう縦方向に沿って縫着部７ｂで縫着して区画分けすることにより、３箇所のペン挿し部８を形成してある。この際、ペン挿し部８の上辺部には筆記具を挿着するための開口部８ａが形成される。尚、本実施例ではペン保持部７を３区画に区分けし、ペン挿し部８を３箇所設けているが、筆記具が挿着できる範囲で任意の数に区画分けをすることができる。
また、ペンホルダー部６にはペン保持部７の上方にフラップ９を設けてあり、ペン保持部７の上方に露出した筆記具を被覆できるようにしてある。尚、フラップ９はベース材６ａの上辺部に縫着部９ａで縫着してある。
また、ペンホルダー部６には、ベース材６ａの縦方向における中間部且つ横方向における両側端部の一方側に外方貫通孔１０を他方側に内方貫通孔１１を設けてあり、外方貫通孔１０及び内方貫通孔１１にはそれぞれ保護リング１２を装着して孔周辺の強度を向上させてある。
また、ペンホルダー部６には紐部材１３を付設してあり、紐部材１３は、他端部１３ｂを内方貫通孔１１の表面部から突出させ、一端部１３ａを外方貫通孔１０の裏面側から表面側に挿通させ、一端部１３ａをベース材６ａの表面側における外方貫通孔１０と内方貫通孔１１の中間部６ｂに縫着部６ｄで縫着させて固設してある。尚、紐部材１３は、内方貫通孔１１からペンホルダー６の表面側に突出する部分が手帳カバー１の全体を巻回できる長さにしてある。
【００１５】
次に、図２から図４を用いて本実施例の手帳カバー１に手帳本体１００を装着し、ペンホルダー部６に設けた３箇所のペン挿し部８に筆記具２００，２０１，２０２を挿着する状況について説明を行う。図２は図１の手帳カバー１に対して手帳本体１００を装着した状態を示しており、図に示すように本実施例では手帳本体１００の一方側の表表紙１００ａをカバー本体部２の裏面側に形成したポケット３０の開口部３０ａに、他方側の裏表紙１００ｂをポケット４０の開口部４０ａからそれぞれ差し込むことによって手帳本体１００に手帳カバー１を装着して被覆してある。また、図３はカバー本体部２の他方の外カバー２ｂ及び手帳本体１００を閉じた状態を示している。
図４はペンホルダー部６に設けた３箇所のペン挿し部８に筆記具２００，２０１，２０２を各々単体で挿着した状態を示している。図に示すように筆記具２００，２０１，２０２を３箇所のペン挿し部８に挿着する場合、フラップ９を捲り上げ、３箇所のペン挿し部８に筆記具２００，２０１，２０２を各々単体で挿着し、フラップ９を筆記具２００，２０１，２０２に上方から被覆させる。
【００１６】
次に、図５及び図６を用いて、ペンホルダー部６が内方貫通孔１１の表面側から突出する紐部材１３を引くことで巻取られるように折り畳まれる状態の説明を行う。図５はペンホルダー部６を外方貫通孔１０及び内方貫通孔１１の位置で横断面にした図になっており、紐部材１３を引く際に、ペンホルダー部６が折り畳まれていく状態を段階的に示した概念図になっている。図５に示すようにペンホルダー部６の３箇所のペン挿し部８に３本の筆記具２００，２０１，２０２をそれぞれ挿着し、図５（ａ）の状態から内方貫通孔１１の表面側から突出した紐部材１３の他端部１３ｂを引くことで、図５（ｂ）に示すようにペンホルダー部６が外方貫通孔１０と内方貫通孔１１の中間部６ｂでペン挿し部８が内側に配置されるように折り畳まれ、外方貫通孔１０と内方貫通孔１１が接近し、３本の筆記具２００，２０１，２０２はベース材６ａに包まれる。さらに紐部材１３を引くことで図５（ｃ）に示すように紐部材１３の一端部１３ａを縫着してある中間部６ｂが外方貫通孔１０の裏面側に接近するように折り畳まれ、筆記具２００，２０１，２０２はベース材６ａ及びペン挿し部８に囲まれた状態となり挟持される。これによりペンホルダー部６を図６に示すようにコンパクトな状態に容易に折り畳むことができた。
また、図示していないが折り畳まれたペンホルダー部６を開き、ペン挿し部８に挿着された筆記具を取り出す場合は、ペンホルダー部６の一方側の端部６ｃを一方側に広げることで容易に開いた状態に復帰することができる。
【００１７】
次に、図７を用いて、前述したようにペンホルダー部６を折り畳んだ上で、引き出された紐部材１３を手帳カバー１の全体に巻回させ、紐部材１３を係止させる状態の説明を行う。図に示すように本実施例の手帳カバー１は、紐部材１３を、たるみの無いように手帳カバー１の縦方向における中間部に巻回させ、カバー本体部２が開かないようにした上で、紐部材１３を係止させて手帳カバー１を閉じた状態を維持できる長さに紐部材１３を設定してある。尚、紐部材１３を係止する手段としては、図７（ａ）のようにカバー本体部２の表面中央部にボタン状の係止具１４を接着や縫着等の手段で止着して設け、紐部材１３をボタン状の係止具１４の中心軸１４ａに巻回させて係止させてもよく、図７（ｂ）のように紐部材１３の中間部１３ｃと他端部１３ｂを絡めるようにして紐部材１３同士で係止させてもよい。
【産業上の利用可能性】
【００１８】
本発明による構造は、 本を被覆するブックカバーに用いることも可能である。
【符号の説明】
【００１９】
１…手帳カバー、
２…カバー本体部、２ａ…一方の外カバー、２ｂ…他方の外カバー、
２ｃ…折り曲げ部、
３…内カバー、
４…内カバー、
５…縫着部、
６…ペンホルダー部、６ａ…ベース材、６ｂ…中間部、６ｃ…一方側の端部、
６ｄ…縫着部、
７…ペン保持部、７ａ…縫着部、７ｂ…縫着部、
８…ペン挿し部、８ａ…開口部、
９…フラップ、９ａ…縫着部、
１０…外方貫通孔、
１１…内方貫通孔、
１２…保護リング、
１３…紐部材、１３ａ…一端部、１３ｂ…他端部、１３ｃ…中間部、
１４…ボタン状の係止具、１４ａ…中心軸、
３０…ポケット、３０ａ…開口部、
４０…ポケット、４０ａ…開口部、
１００…手帳本体、１００ａ…表表紙、１００ｂ…裏表紙、
２００…筆記具、
２０１…筆記具、
２０２…筆記具。
【図１】
2014046578.tif 000003
【図２】
2014046578.tif 000004
【図３】
2014046578.tif 000005
【図４】
2014046578.tif 000006
【図５】
2014046578.tif 000007
【図６】
2014046578.tif 000008
【図７】
2014046578.tif 000009
【手続補正書】
【提出日】平成24年9月19日(2012.9.19)
【手続補正１】
【補正対象書類名】特許請求の範囲
【補正対象項目名】請求項４
【補正方法】変更
【補正の内容】
【請求項４】
前記手帳カバー表紙部に前記紐部材を係止する係止部を設けた請求項１ないし請求項３のいずれか１項に記載のペンホルダー付の手帳カバー。
【手続補正２】
【補正対象書類名】明細書
【補正対象項目名】００１４
【補正方法】変更
【補正の内容】
【００１４】
図１を用いて本実施例の手帳カバー１ついて説明を行う。図１は手帳カバー１を開いた状態で見た斜視図である。図に示すように手帳カバー１は、折り曲げ部２ｃを介して連続して成る一方の外カバー２ａ及び他方の外カバー２ｂで構成されるカバー本体部２に対して、一方の外カバー２ａの裏面側に内カバー３を、他方の外カバー２ｂの裏面側に内カバー４を配してある。尚、内カバー３及び内カバー４は、それぞれカバー本体部２の外周に沿って縫着部５で縫着して一体としてある。本実施例では、内カバー３と一方の外カバー２ａとの間にはポケット３０が形成され、内カバー４と他方の外カバー２ｂとの間にはポケット４０が形成され、互いの開口部３０ａ，４０ａを対向するよう形成してある。また、内カバー３には一方側から突出するペンホルダー部６を設けてあり、ペンホルダー部６のベース材６ａは内カバー３と同部材で構成されており、内カバー３を一方の外カバー２ａに縫着する際に同時にカバー本体部２と一体と成る。
また、ペンホルダー部６の裏面側にはペン保持部７が設けてあり、ペン保持部７はベース材６ａの横方向における両側辺部及び縦方向における下辺部をコの字状の縫着部７ａで縫着してある。さらにペン保持部７には、複数の筆記具が各々単体で挿着できるよう縦方向に沿って縫着部７ｂで縫着して区画分けすることにより、３箇所のペン挿し部８を形成してある。この際、ペン挿し部８の上辺部には筆記具を挿着するための開口部８ａが形成される。尚、本実施例ではペン保持部７を３区画に区分けし、ペン挿し部８を３箇所設けているが、筆記具が挿着できる範囲で任意の数に区画分けをすることができる。
また、ペンホルダー部６にはペン保持部７の上方にフラップ９を設けてあり、ペン保持部７の上方に露出した筆記具を被覆できるようにしてある。尚、フラップ９はベース材６ａの上辺部に縫着部９ａで縫着してある。
また、ペンホルダー部６には、ベース材６ａの縦方向における中間部且つ横方向における両側端部の一方側に外方貫通孔１０を他方側に内方貫通孔１１を設けてあり、外方貫通孔１０及び内方貫通孔１１にはそれぞれ保護リング１２を装着して孔周辺の強度を向上させてある。
また、ペンホルダー部６には紐部材１３を付設してあり、紐部材１３は、他端部１３ｂを内方貫通孔１１の表面部から突出させ、一端部１３ａを外方貫通孔１０の裏面側から表面側に挿通させ、一端部１３ａをベース材６ａの表面側における外方貫通孔１０と内方貫通孔１１の中間部６ｂに縫着部６ｄで縫着させて固設してある。尚、紐部材１３は、内方貫通孔１１からペンホルダー部６の表面側に突出する部分が手帳カバー１の全体を巻回できる長さにしてある。
【手続補正３】
【補正対象書類名】図面
【補正対象項目名】図１
【補正方法】変更
【補正の内容】
【図１】
2014046578.tif 000010
【手続補正４】
【補正対象書類名】図面
【補正対象項目名】図４
【補正方法】変更
【補正の内容】
【図４】
2014046578.tif 000011
【手続補正５】
【補正対象書類名】図面
【補正対象項目名】図７
【補正方法】変更
【補正の内容】
【図７】
2014046578.tif 000012